(57)【要約】【課題】  地図の縮尺の変更に応じて、位置依存情報の表示方法を変更することで、操作者の意図を反映した内容を容易に表示可能な位置依存情報処理装置、位置依存情報処理方法、位置依存情報表示システム、位置依存情報表示プログラムを提供すること。【解決手段】  地図情報と位置に依存する情報とに基づいて、地図表示上に位置依存情報を表示するための処理を実行する位置依存情報処理装置１０３であって、地図表示の縮尺の変更に応じて、位置依存情報の表示方法を変更する。【選択図】図１
2009271326.tif 000002
【特許請求の範囲】
【請求項１】
地図情報と位置に依存する情報とに基づいて、地図表示上に位置依存情報を表示するための処理を実行する位置依存情報処理装置であって、
前記地図表示の縮尺の変更に応じて、前記位置依存情報の表示方法を変更する
ことを特徴とする位置依存情報処理装置。
【請求項２】
前記位置依存情報の表示方法が、
前記位置依存情報の表示種別と、前記位置依存情報の加工単位と、で規定される
ことを特徴とする請求項１記載の位置依存情報処理装置。
【請求項３】
前記位置依存情報の加工単位が、
国、地方、県、市、区、町、村、の少なくとも１つを含む
ことを特徴とする請求項２記載の位置依存情報処理装置。
【請求項４】
前記位置依存情報の表示種別が、
前記位置依存情報に関連付けられた時間情報に基づいて、該位置依存情報を時系列の統計情報に加工した時系列情報と、
前記位置依存情報に関連付けられた内容に基づいて、該内容毎の割合に加工した割合情報と、
前記位置依存情報に関連付けられた位置情報と、の少なくとも１つを含む
ことを特徴とする請求項２又は３記載の位置依存情報処理装置。
【請求項５】
地図情報と位置に依存する情報とに基づいて、地図表示上に位置依存情報を表示する位置依存情報処理方法であって、
前記地図表示の縮尺の変更に応じて、前記位置依存情報の表示方法を変更する
ことを特徴とする位置依存情報処理方法。
【請求項６】
前記位置依存情報の表示方法が、
前記位置依存情報の表示種別と、前記位置依存情報の加工単位と、で規定される
ことを特徴とする請求項５記載の位置依存情報処理方法。
【請求項７】
前記位置依存情報の加工単位が、
国、地方、県、市、区、町、村、の少なくとも１つを含む
ことを特徴とする請求項６記載の位置依存情報処理方法。
【請求項８】
前記位置依存情報の表示種別が、
前記位置依存情報に関連付けられた時間情報に基づいて、該位置依存情報を時系列の統計情報に加工した時系列情報と、
前記位置依存情報に関連付けられた内容に基づいて、該内容毎の割合に加工した割合情報と、
前記位置依存情報に関連付けられた位置情報と、の少なくとも１つを含む
ことを特徴とする請求項６又は７記載の位置依存情報処理方法。
【請求項９】
地図情報を格納する地図情報格納装置と、位置に依存する情報を格納する位置依存情報格納装置と、前記地図情報と前記位置依存情報とに基づいて、表示画面情報を生成する位置依存情報処理装置と、前記表示画面情報を表示する表示装置と、前記表示装置に表示される地図表示の縮尺の変更を指示するための入力装置と、を備える位置依存情報表示システムであって、
前記位置依存情報処理装置が、
前記入力装置からの前記地図表示の縮尺の変更指示に応じて前記地図表示の縮尺を変更すると共に、前記地図表示の縮尺情報を出力する地図情報処理手段と、
前記地図表示の縮尺情報と、前記位置依存情報の表示方法と、の対応関係を示す表示方法設定情報を格納する表示方法設定手段と、
前記地図情報処理手段から出力される前記縮尺情報と、前記表示方法設定手段に格納される前記表示方法設定情報と、に基づいて、前記位置依存情報を加工する位置依存情報処理手段と、を備える
ことを特徴とする位置依存情報表示システム。
【請求項１０】
前記位置依存情報の表示方法が、
前記位置依存情報の表示種別と、前記位置依存情報の加工単位と、で規定される
ことを特徴とする請求項９記載の位置依存情報表示システム。
【請求項１１】
前記位置依存情報の加工単位が、
国、地方、県、市、区、町、村、の少なくとも１つを含む
ことを特徴とする請求項１０記載の位置依存情報表示システム。
【請求項１２】
前記位置依存情報の表示種別が、
前記位置依存情報に関連付けられた時間情報に基づいて、該位置依存情報を時系列の統計情報に加工した時系列情報と、
前記位置依存情報に関連付けられた内容に基づいて、該内容毎の割合に加工した割合情報と、
前記位置依存情報に関連付けられた位置情報と、の少なくとも１つを含む
ことを特徴とする請求項９又は１０記載の位置依存情報表示システム。
【請求項１３】
地図情報を格納する地図情報格納装置と、位置に依存する情報を格納する位置依存情報格納装置と、前記地図情報と前記位置依存情報とに基づいて、表示画面情報を生成する位置依存情報処理装置と、前記表示画面情報を表示する表示装置と、前記表示装置に表示される地図表示の縮尺の変更を指示するための入力装置と、を制御する位置依存情報表示プログラムであって、
前記位置依存情報処理装置に、
前記入力装置からの前記地図表示の縮尺の変更指示に応じて前記地図表示の縮尺を変更すると共に、前記地図表示の縮尺情報を出力する地図情報処理と、
前記地図表示の縮尺情報と、前記位置依存情報の表示方法と、の対応関係を示す表示方法設定情報を格納する表示方法設定処理と、
前記地図情報処理において出力される前記縮尺情報と、前記表示方法設定処理において格納される前記表示方法設定情報と、に基づいて、前記位置依存情報を加工する位置依存情報処理と、を実行させる
ことを特徴とする位置依存情報表示プログラム。
【発明の詳細な説明】
【技術分野】
【０００１】
本発明は、位置に依存する情報（位置依存情報）を地図表示上に表示させる位置依存情報処理装置、位置依存情報処理方法、位置依存情報表示システム、位置依存情報表示プログラムに関する。
【背景技術】
【０００２】
近年、位置に依存する情報（以下、位置依存情報と称する。）を、地図表示上に表示する表示装置が開発されている。このような表示装置では、設備管理や顧客からの苦情管理などの目的で、保存された各種位置依存情報を地図表示上に表示することで管理が行われている。
【０００３】
例えば、特許文献１に開示されるナビゲーション装置では、地図の縮尺変更によって、地図表示上に表示されるアイコン同士が密集してその重なり具合が変化した場合には、それらアイコンを縮小したり、重なり部分を半透明にすることで、アイコンを見易くする技術が開示されている。
【０００４】
また、特許文献２に開示される情報シンボルマッピング装置では、地図表示上に表示されるアイコンについて、地図の縮尺を縮小した場合には複数のアイコンをマージし、地図の縮尺を拡大した場合にはアイコンを分割して表示することで、表示されるアイコンの分布具合を直感的に把握可能とする技術が開示されている。
【０００５】
さらに、特許文献３には、折られて表示サイズが変更されると、これに応じて表示内容が自動的に切替わる表示装置が開示されている。特許文献３に開示される表示装置では、表示に関する複数の情報が各表示サイズに対応して記憶され、表示サイズ毎にどの情報を優先させて表示させるのかが登録される。
【０００６】
また、特許文献４には、位置依存情報である路線変更点の名称をアイコンとして地図画像上に重ねて表示する経路探索装置が開示されている。特許文献４に開示される経路探索装置では、拡大した地図表示上に、路線変更点に近接する交差点等の名称がアイコンとして重ねて表示される。
【０００７】
さらに、特許文献５には、表示スケールが１００ｍ以上の広域表示の場合は道路線を含む線地図の要素を重ねて表示し、１００ｍ以下の詳細表示の場合は道路線を表示しない地図表示装置が開示されている。
【特許文献１】特開２００７−０８６６３３号公報
【特許文献２】特開２００７−０５８０８８号公報
【特許文献３】特開２００３−０６６８９０号公報
【特許文献４】特開２００３−２１４８８１号公報
【特許文献５】特開２００５−０８４３３２号公報
【発明の開示】
【発明が解決しようとする課題】
【０００８】
しかしながら、上述したいずれの技術においても、管理システムの操作者が地図の縮尺を拡大・縮小した場合には、縮尺の変更とは無関係に、同種のアイコン又は情報が表示される。このため、操作者の意図を反映した内容を表示させることができないという課題があった。
【０００９】
例えば、顧客からの苦情の統計情報を地図表示上に表示する地理情報管理システムにおいて、統計情報が県単位で地図表示上に表示されている場合に、操作者は統計情報を市区単位に分解して知りたいと思うことがある。しかし、上述した技術では、操作者が地図の縮尺を拡大しても、統計情報は県単位で表示されたままであり、市区単位の統計情報を表示させることはできない。
【００１０】
また別の例としては、顧客からの苦情が発生した位置にアイコンを表示する地理情報管理システムにおいて、苦情が発生した位置が地図表示上に表示されている場合に、操作者は広域にわたって分布する苦情の統計情報を知りたいと思うことがある。このとき、操作者が地図の縮尺を拡大しても、地図表示上には苦情アイコンが表示されるだけであり、統計情報までは表示されない。
【００１１】
このため上述した技術では、操作者の意図を反映した内容を表示させるためには、操作者は、地図の拡大・縮小という操作に加えて、統計情報の表示単位の変更を指定したり、別の手段により統計情報の取得・表示を行う必要があり、目的達成までに係る操作が煩雑となる。
【００１２】
また、特許文献３の表示装置では、表示に関する複数の情報を記憶して、表示素子のサイズに応じて表示内容を変更するものであり、例えば、同一の地図情報を表示させた場合に（即ち、単一の種類の情報内容を表示させる場合に）、位置依存情報の表示方法を変更するものではない。即ち、特許文献３の表示素子を例えば半分のサイズに変更した場合には、表示していた地図の表示内容が半分になることに留まり、地図の縮尺までもが変更されるわけではない。さらに、特許文献３の表示装置では、複数のアプリケーションから使用するアプリケーションを選択して登録するものであり、表示していた内容の表示方法が変更されるものではない。
【００１３】
従って、特許文献３の表示装置では、表示サイズの変更と表示させる内容とが無関係であるため、地図の拡大・縮小に連動させて、例えば、地図を拡大した場合には詳細データを表示させ、地図を縮小した場合には概要データを表示させる、といったように表示させることはできない。このため、操作者の意図を反映した内容を容易に表示させることはできないものである。
【００１４】
本発明の目的は、以上の問題点を解決して、地図の縮尺の変更に応じて、位置依存情報の表示方法を変更することで、操作者の意図を反映した内容を容易に表示可能な位置依存情報処理装置、位置依存情報処理方法、位置依存情報表示システム、位置依存情報表示プログラムを提供することである。
【課題を解決するための手段】
【００１５】
本発明に係る位置依存情報処理装置の一態様は、地図情報と位置に依存する情報とに基づいて、地図表示上に位置依存情報を表示するための処理を実行する位置依存情報処理装置であって、前記地図表示の縮尺の変更に応じて、前記位置依存情報の表示方法を変更するものである。
【００１６】
また、本発明に係る位置依存情報処理方法の一態様は、地図情報と位置に依存する情報とに基づいて、地図表示上に位置依存情報を表示する位置依存情報処理方法であって、前記地図表示の縮尺の変更に応じて、前記位置依存情報の表示方法を変更するものである。
【００１７】
また、本発明に係る位置依存情報表示システムの一態様は、地図情報を格納する地図情報格納装置と、位置に依存する情報を格納する位置依存情報格納装置と、前記地図情報と前記位置依存情報とに基づいて、表示画面情報を生成する位置依存情報処理装置と、前記表示画面情報を表示する表示装置と、前記表示装置に表示される地図表示の縮尺の変更を指示するための入力装置と、を備える位置依存情報表示システムであって、前記位置依存情報処理装置が、前記入力装置からの前記地図表示の縮尺の変更指示に応じて前記地図表示の縮尺を変更すると共に、前記地図表示の縮尺情報を出力する地図情報処理手段と、前記地図表示の縮尺情報と、前記位置依存情報の表示方法と、の対応関係を示す表示方法設定情報を格納する表示方法設定手段と、前記地図情報処理手段から出力される前記縮尺情報と、前記表示方法設定手段に格納される前記表示方法設定情報と、に基づいて、前記位置依存情報を加工する位置依存情報処理手段と、を備えるものである。
【００１８】
また、本発明に係る位置依存情報表示プログラムの一態様は、地図情報を格納する地図情報格納装置と、位置に依存する情報を格納する位置依存情報格納装置と、前記地図情報と前記位置依存情報とに基づいて、表示画面情報を生成する位置依存情報処理装置と、前記表示画面情報を表示する表示装置と、前記表示装置に表示される地図表示の縮尺の変更を指示するための入力装置と、を制御する位置依存情報表示プログラムであって、前記位置依存情報処理装置に、前記入力装置からの前記地図表示の縮尺の変更指示に応じて前記地図表示の縮尺を変更すると共に、前記地図表示の縮尺情報を出力する地図情報処理と、前記地図表示の縮尺情報と、前記位置依存情報の表示方法と、の対応関係を示す表示方法設定情報を格納する表示方法設定処理と、前記地図情報処理において出力される前記縮尺情報と、前記表示方法設定処理において格納される前記表示方法設定情報と、に基づいて、前記位置依存情報を加工する位置依存情報処理と、を実行させるものである。
【発明の効果】
【００１９】
本発明によれば、地図の縮尺の変更に応じて、位置依存情報の表示方法を変更することで、操作者の意図を反映した内容を容易に表示可能な位置依存情報処理装置、位置依存情報処理方法、位置依存情報表示システム、位置依存情報表示プログラムを提供することができる。
【発明を実施するための最良の形態】
【００２０】
以下、本発明を実施するための最良の形態について、図面を参照しながら詳細に説明する。説明の明確化のため、以下の記載及び図面は、適宜、省略及び簡潔化がなされている。各図面において同一の構成又は機能を有する構成要素及び相当部分には、同一の符号を付し、その説明を省略する。
【００２１】
まず、本発明を実施するための最良の形態について、各実施例に共通する構成及び動作の説明について、図面を参照して説明する。図１は、本発明に係る位置依存情報処理装置の概略構成を例示する図である。
【００２２】
図１に示すように、位置依存情報処理装置１０３は、地図情報と位置依存情報とを取得し、入力装置からの入力情報に応じて、表示装置に出力する表示画面を変更する。位置依存情報処理装置１０３は、入力装置から入力される地図表示の縮尺の変更指示に応じて、表示装置に出力する位置依存情報の表示方法を変更する機能を有する。
【００２３】
次に、図２を参照して、本発明に係る位置依存情報表示システムの構成について説明する。図２に示すように、位置依存情報表示システム１００は、表示装置１０１と、入力装置１０２と、位置依存情報処理装置１０３と、地図情報保存部１０４と、位置依存情報保存部１０５と、を備えている。
【００２４】
表示装置１０１は、地図情報と位置依存情報とを含む表示画面情報を表示する。入力装置１０２は、表示装置１０１に表示される地図表示の縮尺の変更を指示する。地図情報格納装置としての地図情報保存部１０４は、地図情報を格納する。位置依存情報格納装置としての位置依存情報保存部１０５は、位置に依存する情報を格納する。位置依存情報処理装置１０３は、地図情報と位置依存情報とに基づいて、表示画面情報を生成する。
【００２５】
位置依存情報処理装置１０３は、起動されると、地図情報保存部１０４から地図情報を取得して、表示装置１０１に地図を表示する。また、位置依存情報処理装置１０３は、位置依存情報保存部１０５から位置依存情報を取得して、表示装置１０１に表示された地図表示上に位置依存情報を重畳して表示する。
【００２６】
具体的には、位置依存情報処理装置１０３は、表示画面生成部１０６と、位置依存情報処理部１０７と、地図情報処理部１０８と、表示方法設定部１０９と、を備えている。表示画面生成部１０６は、地図情報と位置依存情報とから、表示装置１０１に表示する表示画面情報を生成する。地図情報処理手段としての地図情報処理部１０８は、入力装置１０２からの地図表示の縮尺の変更指示に応じて地図表示の縮尺を変更すると共に、地図表示の縮尺情報を出力する。表示方法設定手段としての表示方法設定部１０９は、地図表示の縮尺情報と、位置依存情報の表示方法と、の対応関係を示す表示方法設定情報を格納する。位置依存情報処理手段としての位置依存情報処理部１０７は、地図情報処理部１０８から出力される縮尺情報と、表示方法設定部１０９において設定されている表示方法設定情報と、に基づいて、位置依存情報を加工する。
【００２７】
即ち、位置依存情報処理装置１０３は、起動されると、地図情報保存部１０４から地図情報を取得する。そして、地図情報処理部１０８を経由して、地図情報が表示画面生成部１０６に出力される。表示画面生成部１０６は、表示画面情報を生成する。生成された表示画面情報に基づいて、表示装置１０１に地図が表示される。また、位置依存情報処理装置１０３は、位置依存情報保存部１０５から位置依存情報を取得する。そして、位置依存情報処理部１０７を経由して、加工された位置依存情報が表示画面生成部１０６に出力される。そして、表示画面生成部１０６において生成された表示画面情報に基づいて、表示装置１０１に表示された地図表示上に位置依存情報が重畳して表示される。
【００２８】
表示方法設定部１０９は、例えば、図３に示す表示方法設定テーブルを予め登録して格納する。表示方法設定テーブルは、縮尺の範囲と表示方法とが対応付けられたテーブルである。図に示す例では、表示方法を、位置依存情報の表示種別と、表示する情報の加工単位とで規定する例を示している。即ち、それぞれの縮尺範囲において、表示させたい情報の表示種別と、情報の加工単位とが対応付けられている。図においては、地図表示の縮尺が１０万分の１〜５万分の１の縮尺範囲に含まれる場合には、表示種別Ａ、かつ、加工単位Ａで、表示装置１０１上に位置依存情報を表示する。地図表示の縮尺が５万分の１〜２．５万分の１の縮尺範囲に含まれる場合には、表示種別Ｂ、かつ、加工単位Ｂで、表示装置１０１上に位置依存情報を表示する。地図表示の縮尺が２．５万分の１以上の縮尺範囲に含まれる場合には、表示種別Ｃ、かつ、加工単位Ｃで、表示装置１０１上に位置依存情報を表示する。
【００２９】
次に図４を参照して、位置依存情報処理部の動作処理について説明する。図４は、位置依存情報処理部１０７の動作処理を示すフローチャートである。
【００３０】
まず、操作者が入力装置１０２により地図の縮尺を変更する操作を行った場合に、縮尺変更指示を受けた地図情報処理部１０８は、地図表示の縮尺変更処理を行うと共に、縮尺情報を位置依存情報処理部１０７へと出力する。そして、位置依存情報処理部１０７は、地図情報処理部１０８より縮尺情報を取得する（Ｓ１０１）。
【００３１】
次いで、縮尺情報を取得した位置依存情報処理部１０７は、表示方法設定部１０９から表示種別と加工単位とを取得する（Ｓ１０２）。そして、位置依存情報処理部１０７は、取得した縮尺情報と表示方法設定とに基づいて、表示装置１０１に表示させる情報の表示方法である、表示種別と加工単位とを決定する（Ｓ１０３）。
【００３２】
次いで、位置依存情報処理部１０７は、縮尺変更した縮尺範囲に応じた位置依存情報を、位置依存情報保存部１０５から取得する（Ｓ１０４）。そして、位置依存情報処理部１０７は、決定した表示種別と加工単位とに応じて、取得した位置依存情報を加工する（Ｓ１０５）。加工された位置依存情報は、表示画面生成部１０６を経由して表示装置１０１へと出力され、表示装置１０１上に表示された地図表示画面上に重畳して表示される。
【００３３】
図５は、縮尺変更に応じて表示装置に表示される表示画面イメージを例示する図である。表示例４０１は、縮尺範囲に関して最も縮小された画面イメージである。また、表示例４０１では、表示種別Ａ、かつ、加工単位Ａにより位置依存情報が重畳して表示されている（即ち、表示方法Ａの情報表示が地図表示上に表示される。）。表示例４０２は、表示例４０１に示される地図表示を拡大した状態である。表示例４０２は、表示種別Ｂ、かつ、加工単位Ｂにより位置依存情報が重畳して表示されている（即ち、表示方法Ｂの情報表示が地図表示上に表示される。）。表示例４０３は、表示例４０２に示される地図表示を更に拡大した状態である。表示例４０３では、表示種別Ｃ、かつ、加工単位Ｃにより位置依存情報が重畳して表示されている（即ち、表示方法Ｃの情報表示が地図表示上に表示される。）。このように、縮尺変更に応じて、位置依存情報の表示方法が変更される。
【００３４】
実施例１．
以下、具体的な実施例を用いて、本発明を実施するための最良の形態についてより詳細に説明する。まず、実施例１では、表示方法に関して、上述した図３に示した表示種別は全て同一の表示種別であり、かつ、加工単位は、複数の加工単位から少なくとも１つ以上の加工単位を指定するものとする。そして、実施例１では、指定された加工単位で、縮尺変更に応じて、位置依存情報を加工して表示する方法について説明する。
【００３５】
図６は、実施例１に係る表示方法設定部１０９において、予め登録される表示方法設定テーブルを示す図である。図に示す表示方法の例では、表示種別は地図の縮尺に依存せずに同一であり、縮尺が変更されても、表示種別が例えば「苦情内容の割合」であるように規定されている。ここで、位置依存情報保存部１０５には、後述するように、位置依存情報として、例えば、苦情の発生位置と苦情の内容とが対応付けて格納されている。図においては、地図表示の縮尺が１０万分の１〜５万分の１の縮尺範囲に含まれる場合には、位置依存情報を加工して県単位で苦情内容の割合を表示する。地図表示の縮尺が５万分の１〜２．５万分の１の縮尺範囲に含まれる場合には、位置依存情報を加工して市単位で苦情内容の割合を表示する。地図表示の縮尺が２．５万分の１以上の縮尺範囲に含まれる場合には、位置依存情報を加工して区単位で苦情内容の割合を表示する。
【００３６】
図７は、実施例１に係る位置依存情報保存部１０５に格納される位置依存情報を示す図である。位置依存情報保存部１０５には、位置依存情報として、顧客からの苦情が発生した位置（苦情が発生した位置を示す緯度及び経度で示す。）と、その苦情の内容（Ａ、Ｂ、Ｃ等で示す。）とが対応付けて格納されている。
【００３７】
位置依存情報処理装置１０３は、起動されると、地図情報保存部１０４から地図情報を取得する。そして、地図情報処理部１０８を経由して、地図情報が表示画面生成部１０６に出力される。表示画面生成部１０６は、表示画面情報を生成する。生成された表示画面情報に基づいて、表示装置１０１に地図が表示される。また、位置依存情報処理装置１０３は、位置依存情報保存部１０５から、顧客からの苦情情報を取得する。位置依存情報処理部１０７は、取得した顧客からの苦情情報を、苦情内容の割合と加工単位とに基づいて加工する。加工された苦情情報は、位置依存情報処理部１０７を経由して、表示画面生成部１０６に出力される。表示画面生成部１０６において生成された表示画面情報に基づいて、表示装置１０１の地図表示上に、縮尺の変更に応じた加工単位で、苦情情報が重畳して表示される。
【００３８】
図８は、実施例１に係る位置依存情報処理部の動作処理を示すフローチャートである。まず、操作者が入力装置１０２により地図の縮尺を変更する操作を行った場合に、縮尺変更指示を受けた地図情報処理部１０８は、地図表示の縮尺変更処理を行うと共に、縮尺情報を位置依存情報処理部１０７へと出力する。そして、位置依存情報処理部１０７は、地図情報処理部１０８より縮尺情報を取得する（Ｓ２０１）。
【００３９】
次いで、縮尺情報を取得した位置依存情報処理部１０７は、表示方法設定部１０９から表示種別と加工単位を取得する（Ｓ２０２）。ここで、実施例１では、表示種別は顧客の苦情内容の割合表示とし、加工単位は県単位、市単位、区単位とする。そして、位置依存情報処理部１０７は、取得した縮尺情報と表示方法設定とに基づいて、表示装置１０１に表示させる情報の表示方法である、表示種別と加工単位とを決定する（Ｓ２０３）。
【００４０】
次いで、位置依存情報処理部１０７は、位置依存情報保存部１０５から顧客の苦情情報を取得する（Ｓ２０４）。そして、位置依存情報処理部１０７は、取得した顧客の苦情情報について、苦情情報の発生位置が、加工単位のどこのエリアに属するかを判定する（Ｓ２０５）。位置依存情報処理部１０７は、顧客の苦情情報をその属するエリア別に統計処理し、苦情内容の割合として加工する（Ｓ２０６）。加工単位での苦情内容の割合表示が、表示画面生成部１０６を経由して表示装置１０１へと出力され、表示装置１０１上に表示された地図画面上に重畳して表示される。
【００４１】
図９は、縮尺変更に応じて表示装置に表示される表示画面イメージを例示する図である。図に示す例では、縮尺の異なる３つの表示画面イメージを示している。表示例８０１は、縮尺範囲に関して最も縮小された画面イメージである。また、表示例８０１では、縮尺範囲が１０万分の１〜５万分の１の範囲に含まれる場合であり、各県単位で、それぞれの苦情内容（Ａ、Ｂ、Ｃ、Ｄ等）の割合が表示されている。表示例８０２は、表示例８０１に示される地図表示を拡大変更した状態である。表示例８０２では、縮尺範囲が５万分の１〜２．５万分の１の範囲に含まれる場合であり、各市単位で、それぞれの苦情内容（Ａ、Ｂ、Ｃ、Ｄ等）の割合が表示されている。表示例８０３は、表示例８０２に示される地図表示を更に拡大変更した状態である。表示例８０３では、縮尺範囲が２．５万分の１以上の範囲に含まれる場合であり、各区単位で、それぞれの苦情内容（Ａ、Ｂ、Ｃ、Ｄ等）の割合が表示されている。このように、縮尺変更に応じて、顧客の苦情情報の表示方法が変更される。
【００４２】
尚、上述した実施例１では、表示方法設定部１０９に規定された内容に従って、位置依存情報処理部１０７が位置依存情報を加工するものとして説明したが本発明はこれに限定されない。即ち、予め加工した位置依存情報を位置依存情報保存部１０５に格納しておき、位置依存情報処理部１０７が、表示方法設定部１０９に規定された内容に従って、位置依存情報保存部１０５から取得する情報を選択するものとしてもよい。
【００４３】
実施例２．
続いて、実施例２では、表示方法に関して、上述した図３に示した表示種別を、複数の表示種別から少なくとも１つ以上の表示種別を指定し、かつ、加工単位を、複数の加工単位から少なくとも１つ以上の加工単位を指定するものとする。そして、実施例２では、指定された表示種別と加工単位とで、縮尺変更に応じて、位置依存情報を加工して表示する方法について説明する。
【００４４】
図１０は、実施例２に係る表示方法設定部１０９において、予め登録される表示方法設定テーブルを示す図である。図に示す表示方法の例では、表示種別は地図の縮尺範囲に対してそれぞれ異なり、縮尺の変更に応じて表示種別が変更されるように規定されている。ここで、位置依存情報保存部１０５には、後述するように、位置依存情報として、例えば、苦情の発生位置と、苦情発生月と、苦情の内容と、が対応付けて格納されている。図においては、地図表示の縮尺が１０万分の１〜５万分の１の縮尺範囲に含まれる場合には、位置依存情報を加工して、県単位での、苦情発生件数の時間変化を表示する。地図表示の縮尺が５万分の１〜２．５万分の１の縮尺範囲に含まれる場合には、位置依存情報を加工して、県単位での、苦情内容の割合を表示する。地図表示の縮尺が２．５万分の１以上の縮尺範囲に含まれる場合には、位置依存情報を加工して、苦情単位での、苦情の発生位置を表示する。
【００４５】
図１１は、実施例２に係る位置依存情報保存部１０５に格納される位置依存情報を示す図である。位置依存情報保存部１０５には、位置依存情報として、顧客からの苦情が発生した位置（苦情が発生した位置を示す緯度及び経度）と、その苦情の発生月（年月）と、その苦情の内容（Ａ、Ｂ、Ｃ等で示す）と、が対応付けて格納されている。
【００４６】
位置依存情報処理装置１０３は、起動されると、地図情報保存部１０４から地図情報を取得する。そして、地図情報処理部１０８を経由して、地図情報が表示画面生成部１０６に出力される。表示画面生成部１０６は、表示画面情報を生成する。表示画面生成部１０６において生成された表示画面情報に基づいて、表示装置１０１に地図が表示される。また、位置依存情報処理装置１０３は、位置依存情報保存部１０５から顧客からの苦情情報を取得する。位置依存情報処理装置１０３は、取得した顧客からの苦情情報を、表示方法設定部１０９で規定された表示種別と加工単位とに基づいて加工する。加工された苦情情報は、位置依存情報処理部１０７を経由して、位置依存情報が表示画面生成部１０６に出力される。表示画面生成部１０６において生成された表示画面情報に基づいて、表示装置１０１の地図表示上に、縮尺の変更に応じた表示種別と加工単位で、苦情情報が重畳して表示される。
【００４７】
図１２は、実施例２に係る位置依存情報処理部の動作処理を示すフローチャートである。まず、操作者が入力装置１０２により地図の縮尺を変更する操作を行った場合に、縮尺変更指示を受けた地図情報処理部１０８は、地図表示の縮尺変更処理を行うと共に、縮尺情報を位置依存情報処理部１０７へと出力する。そして、位置依存情報処理部１０７は、地図情報処理部１０８より縮尺情報を取得する（Ｓ３０１）。
【００４８】
次いで、縮尺情報を取得した位置依存情報処理部１０７は、表示方法設定部１０９から表示種別と加工単位を取得する（Ｓ３０２）。ここで、実施例２では、表示種別は縮尺変更に応じて変化し、加工単位は、県単位又は苦情情報単位とする。そして、位置依存情報処理部１０７は、取得した縮尺情報と表示方法設定とに基づいて、表示装置１０１に表示させる情報の表示種別と加工単位とを決定する（Ｓ３０３）。
【００４９】
次いで、位置依存情報処理部１０７は、位置依存情報保存部１０５から顧客の苦情情報を取得する（Ｓ３０４）。そして、位置依存情報処理部１０７は、取得した顧客の苦情情報について、苦情情報の発生位置が、加工単位のどこのエリアに属するかを判定する（Ｓ３０５）。位置依存情報処理部１０７は、顧客の苦情情報をその属するエリア別に統計処理し、指定された表示種別として加工する（Ｓ３０６）。加工単位での表示種別により表示される苦情情報が、表示画面生成部１０６を経由して表示装置１０１へと出力され、表示装置１０１上に表示された地図画面上に重畳して表示される。
【００５０】
図１３は、縮尺変更に応じて表示装置に表示される表示画面イメージを例示する図である。図に示す例では、縮尺の異なる３つの表示画面イメージを示している。表示例１１０１は、縮尺範囲に関して最も縮小された画面イメージである。また、表示例１１０１では、縮尺範囲が１０万分の１〜５万分の１の範囲に含まれる場合であり、各県単位で、それぞれの苦情情報の発生件数の時間変化が表示されている。表示例１１０２は、表示例１１０１に示される地図表示を拡大変更した状態である。表示例１１０２では、縮尺範囲が５万分の１〜２．５万分の１の範囲に含まれる場合であり、県単位で、苦情内容（Ａ、Ｂ、Ｃ、Ｄ等）の割合が表示されている。表示例１１０３は、表示例１１０２に示される地図表示を更に拡大変更した状態である。表示例１１０３では、縮尺範囲が２．５万分の１以上の範囲に含まれる場合であり、苦情単位で、それぞれの苦情の発生位置がアイコンにより表示されている。このように、縮尺変更に応じて、顧客の苦情情報の表示方法が変更される。
【００５１】
尚、上述した実施例２では、表示方法設定部１０９に規定された内容に従って、位置依存情報処理部１０７が位置依存情報を加工するものとして説明したが本発明はこれに限定されない。即ち、予め加工した位置依存情報を位置依存情報保存部１０５に格納しておき、位置依存情報処理部１０７が、表示方法設定部１０９に規定された内容に従って、位置依存情報保存部１０５から取得する情報を選択するものとしてもよい。
【００５２】
以上説明したように、本発明によれば、地図表示の縮尺変更と連動して、地図表示上に表示させる表示情報の表示内容や加工単位を変更することで、操作者の意図を容易な操作で達成することができる。即ち、地図の拡大・縮小に連動して表示方法を変更する構成であるため、例えば、「地図を拡大した場合には詳細データを表示させ、地図を縮小した場合には概要データを表示させる。」というように、操作者が直感的に理解しやすいという効果を有する。
【００５３】
尚、本発明によれば、表示装置１０１の表示素子のサイズ自体は同一のものとすることができ、表示内容（地図）の縮尺変更に応じて、その地図表示上に表示される位置依存情報の表示方法を変更することができる。地図の縮尺変更指示は、縮尺情報を介して、地図情報処理部１０８から位置依存情報処理部１０７へと送信される。位置依存情報処理部１０７は、縮尺情報と表示設定方法とに基づいて、地図表示上に表示される位置依存情報の表示方法を変更する。そして、指定した表示種別と加工単位で、単一種類の位置依存情報を加工することで、表示方法を変更することができる。
【００５４】
また、本発明は、無線通信事業者が顧客からの苦情情報などの位置に依存する情報を用いて行うユーザ情報管理や、無線基地局などの設備管理などに対して、好適に活用することができる。
【００５５】
尚、本発明は上述した実施例のみに限定されるものではなく、本発明の要旨を逸脱しない範囲において種々の変更が可能であることは勿論である。
【図面の簡単な説明】
【００５６】
【図１】本発明に係る位置依存情報処理装置の概略構成を例示する図である。
【図２】本発明に係る位置依存情報表示システムの構成を例示する図である。
【図３】本発明に係る表示方法設定テーブルの一例を示す図である。
【図４】本発明に係る位置依存情報処理部の動作処理を示すフローチャートである。
【図５】本発明に係る表示画面の変化イメージの一例を示す図である。
【図６】実施例１に係る表示方法設定テーブルの一例を示す図である。
【図７】実施例１に係る位置依存情報の一例を示す図である。
【図８】実施例１に係る位置依存情報処理部の動作処理を示すフローチャートである。
【図９】実施例１に係る表示画面の変化イメージの一例を示す図である。
【図１０】実施例２に係る表示方法設定テーブルの一例を示す図である。
【図１１】実施例２に係る位置依存情報の一例を示す図である。
【図１２】実施例２に係る位置依存情報処理部の動作処理を示すフローチャートである。
【図１３】実施例２に係る表示画面の変化イメージの一例を示す図である。
【符号の説明】
【００５７】
１００  位置依存情報表示システム、
１０１  表示装置、  １０２  入力装置、  １０３  位置依存情報処理装置、
１０４  地図情報保存部、  １０５  位置依存情報保存部、
１０６  表示画面生成部、  １０７  位置依存情報処理部、
１０８  地図情報処理部、  １０９  表示方法設定部、
４０１、４０２、４０３  表示画面、
８０１、８０２、８０３  表示画面、
１１０１、１１０２、１１０３  表示画面
【図１】
2009271326.tif 000003
【図２】
2009271326.tif 000004
【図３】
2009271326.tif 000005
【図４】
2009271326.tif 000006
【図５】
2009271326.tif 000007
【図６】
2009271326.tif 000008
【図７】
2009271326.tif 000009
【図８】
2009271326.tif 000010
【図９】
2009271326.tif 000011
【図１０】
2009271326.tif 000012
【図１１】
2009271326.tif 000013
【図１２】
2009271326.tif 000014
【図１３】
2009271326.tif 000015